(57)【要約】【目的】押出チューブ容器から液状内容物の注出勢いを調整する弁を備えたチューブ押出容器を提供する。【構成】口頸部３内に吐出緩和弁４を装着した押出チューブ容器であって、吐出緩和弁４は、通孔６１を設け弁座部材６と該通孔６１を開閉する弁板５１を設けた弁部材５とからなり、弁部材５には、常閉方向に付勢する複数のバネ体によって弁板５１が取り付けられ、弁板５１の周囲に複数の内容液通過隙間５７を設けたことを特徴とする押チューブ出容器。【選択図】      図１
2005145465.tif 000002
【特許請求の範囲】
【請求項１】
口頸部内に吐出緩和弁を装着した押出チューブ容器であって、吐出緩和弁は、通孔を設けた弁座部材と該通孔を開閉する弁板を設けた弁部材とからなり、弁部材には、常閉方向に付勢する複数のバネ体によって弁板が取り付けられ、弁板の周囲に内容液通過隙間を設けたことを特徴とする押出チューブ容器。
【請求項２】
内容液通過隙間が、弁部材の外周縁と弁板とその両者を連結するバネ体とによって形成される隙間であることを特徴とする請求項１記載の押出チューブ容器。
【請求項３】
弁板の上部にバネ体の伸長を規制する上端制止弁体を連結したことを特徴とする請求項１又は２記載の押出チューブ容器。
【請求項４】
押出チューブ容器は、液状内容物を収容する可焼性のチューブ本体と、該チューブ本体の開放端側に注出口を有する硬質の口頸部を設け、口頸部には、筒状であって、弁座部材の外周縁が当接する中径肩部と上端制止体が当接する小径肩部を設けたことを特徴とする請求項１〜３のいずれかに記載の押出チューブ容器。
【請求項５】
弁部材と弁座部材には口頸部内壁に密着して装着される筒状脚部が設けられ、弁座部材の筒状脚部の上部側は、弁部体の筒状脚部を外装する径に縮径された小径部を設けたことを特徴とする請求項１〜４のいずれかに記載の押出チューブ容器。
【請求項６】
液状の内容物を収納したチューブ容器本体２と、注出口３１が設けられた口頸部３と、該口頸部３内に設けられた吐出緩和弁４とからなる押出チューブ容器１において、
チューブ容器本体２は、押圧により内容物を押出可能な可撓性合成樹脂製のチューブからなり、
口頸部３は、大中小の３つの径を有する筒状であって、
前記吐出緩和弁４は、弁部材５と弁座部材６とからなり、
該弁部材５は、上端制止体５４、弁板５１、該上端制止体５４と該弁板５１とを連結するステム５５、一端が環状基部５３に連結され他端が弁板５１に連結された渦巻状弾性片５２１及び環状基部５３から延びる筒状脚部５８とからなり、該上端制止体５４は口頸部３の中径部３３の径より小さく小径部３２の径よりも大きく形成され、該渦巻状弾性片５２１は弁板５１を常閉方向に付勢するバネとして機能し、
弁座部材６は、口頸部３に挿入装着される筒状の脚部と通孔６１を設けた平面部から構成され、該筒状の脚部は、上部が前記弁部材５の筒状脚部５８を外装するように縮径された小径部６２、下部が口頸部３の大径部３４に装着される大径部６３に形成されていることを、
特徴とする押出チューブ容器。
【発明の詳細な説明】
【技術分野】
【０００１】
本発明は、化粧水等の液状内容物を収納する戻り防止弁機構を備えた押出チューブ容器に関する。
【背景技術】
【０００２】
押出チューブ容器として、片持ちのリード弁が、チューブを押圧すると開き、押圧を解除するとチューブの復元力と大気圧によって閉鎖する弁機構を備えた押出チューブ容器が知られている（特許文献１：特開平９−２４９７号公報）。図７に、従来の押出チューブ容器を示す。
ブローチューブ本体１００には、その先端に弁機構２００及びノズル３００とから構成されている。押出チューブ容器１を使用する際には、先ずブローチューブ本体１００の外壁を指先等で押圧し、中味収納部４００内の中味を弁機構２００及びノズル７００を経由して、必要量を取り出す。  ブローチューブ本体１００への押圧力を解除すると、弁機構２００の作用により弁機構部の戻り側通路は閉塞され、一旦吐出された中味が中味収納部４００内に逆流する不具合が防止されると共に、外気の侵入も防止される。
【特許文献１】特開平９−２４９７号公報
【０００３】
従来の押出チューブ容器の弁機構２００は、弾性小片をバネ体とするリード弁で構成されていた。内容物を取り出す際に、ブローチューブ本体１００を押圧すると内圧によりリード弁が開き内容物が押し出されてくるが、該リード弁が全開したときは、ノズル７００内の流路はほぼ直線状に開放された通孔として形成される。液状の内容物は、その直線的な最短の流路を通り吐出されるため、ノズル７００から、勢い良く流出することがある。このような噴出は、化粧水品等の液状内容物の取り出しには好適ではなく、そのため、押し出し操作が難しいという欠点があった。特に粘性の低いものにおいては、液出しの調整は難しいものがある。
【０００４】
更に、ブローチューブ本体１００を誤って必要以上に強く押圧したときには、内容物が多量に噴出してしまうという欠点もあった。
上記リード弁は、バネとして機能する弾性小片の復元力が小さいことから、開弁後にリード弁がスムーズに閉じないことや位置ずれ、捻じれ等を生ずる欠点があった。
【発明の開示】
【発明が解決しようとする課題】
【０００５】
本発明は、戻り防止機能を向上させると共に内容液の噴出を制御できる弁付きの押出チューブ容器を提供することを目的とするものである。
【課題を解決するための手段】
【０００６】
本発明は、弁体と弁孔を別部材とし、通常は弁体を弁孔を塞ぐ方向に付勢し、弁開の状体でも内容液の流出通路が絞られると共に直線上にならないような構造の弁を開発し、この弁をチューブ容器に装着したものである。また、弁の開放を制限する機構をさらに付加した弁構造を開発してチューブ容器に装着したものである。
具体的な、構成は次のとおりである。
(1)  口頸部内に吐出緩和弁を装着した押出チューブ容器であって、吐出緩和弁は、通孔を設けた弁座部材と該通孔を開閉する弁板を設けた弁部材とからなり、弁部材には、常閉方向に付勢する複数のバネ体によって弁板が取り付けられ、弁板の周囲に内容液通過隙間を設けたことを特徴とする押出チューブ容器。
(2)  内容液通過隙間が、弁部材の外周縁と弁板とその両者を連結するバネ体とによって形成される隙間であることを特徴とする(1)記載の押出チューブ容器。
(3)  弁板の上部にバネ体の伸長を規制する上端制止弁体を連結したことを特徴とする(1)又は(2)記載の押出チューブ容器。
(4)  押出チューブ容器は、液状内容物を収容する可焼性のチューブ本体と、該チューブ本体の開放端側に注出口を有する硬質の口頸部を設け、口頸部には、筒状であって、弁座部材の外周縁が当接する中径肩部と上端制止体が当接する小径肩部を設けたことを特徴とする(1)〜(3)のいずれかに記載の押出チューブ容器。
(5)  弁部材と弁座部材には口頸部内壁に密着して装着される筒状脚部が設けられ、弁座部材の筒状脚部の上部側は、弁部体の筒状脚部を外装する径に縮径された小径部を設けたことを特徴とする(1)〜(4)のいずれかに記載の押出チューブ容器。
(6)  液状の内容物を収納したチューブ容器本体２と、注出口３１が設けられた口頸部３と、該口頸部３内に設けられた吐出緩和弁４とからなる押出チューブ容器１において、
チューブ容器本体２は、押圧により内容物を押出可能な可撓性合成樹脂製のチューブからなり、
口頸部３は、大中小の３つの径を有する筒状であって、
前記吐出緩和弁４は、弁部材５と弁座部材６とからなり、
該弁部材５は、上端制止体５４、弁板５１、該上端制止体５４と該弁板５１とを連結するステム５５、一端が環状基部５３に連結され他端が弁板５１に連結された渦巻状弾性片５２１及び環状基部５３から延びる筒状脚部５８とからなり、該上端制止体５４は口頸部３の中径部３３の径より小さく小径部３２の径よりも大きく形成され、該渦巻状弾性片５２１は弁板５１を常閉方向に付勢するバネとして機能し、
弁座部材６は、口頸部３に挿入装着される筒状の脚部と通孔６１を設けた平面部から構成され、該筒状の脚部は、上部が前記弁部材５の筒状脚部５８を外装するように縮径された小径部６２、下部が口頸部３の大径部３４に装着される大径部６３に形成されていることを、
特徴とする押出チューブ容器。
【発明の効果】
【０００７】
１．  内容液の流出通路が、少なくとも弁座の通孔、吐出隙間を経由するので、直線的に構成されず、勢い良く噴出することが防止できる。
２．さらに、弁体の上部に皿状の上端制止弁体を設けて流出経路を制限して、噴出防止効果を向上する。
３．上端制止弁体が上端位置で口頚部を完全に閉鎖する構成とした場合は、強い力でチューブ容器を押圧した場合は、内容液の流出を停止することができる。
４．流出の程度をコントロールすることができる。
５．弁体を常時閉方向への付勢力を向上させ、封止機能と弁の位置ズレ防止機能を向上させることができた。
６．スクイズバック防止性能が向上し、外気の吸引も無く、衛生的であり、内容液の酸化劣化、雑菌の侵入、腐敗防止性能が向上する。
７．液状化粧品、液状薬品、液状香辛料・調味料など少量ずつ使用するようなものを収納するチューブ容器として適している。
【発明を実施するための最良の形態】
【０００８】
本発明に用いる弁構造は、２分割タイプであって、一方には弁孔が設けられた部材と他方には弁体が設けられた部材とからなる。両部材は密着して重ね合わされ、弁体は弁孔を塞ぐように付勢されたバネによって結合される。該バネは弁体側の部材に取り付けられている。弁体の開動作は、弁孔に対して全体が遠近移動することにより行われ、全開位置においても、弁孔からに流出物が弁体に衝突して流れの方向が変化するように設けられている。
好ましくは、３本以上のバネによって、弁体の周囲を均等に支持することにより、弁体を弁孔に対して平行を保ちつつ遠近動作を行うような構成とする。均等に支持されることによって、弁機能の片寄り劣化や位置ズレ防止機能も向上し、弁の封止機能、耐用性も向上させることができた。
【０００９】
さらに、弁体の開動作を制限する部材を設けることによって、バネの伸張を規制し、バネの伸びすぎによる劣化を防止し、弁機能の耐用性の向上と確実性を向上させることができる。
この、弁体の開動作を制限する部材を、弁体の上部に設け、バネの伸張規制位置において、チューブ容器の口頸部の注出口側を閉鎖するように構成することによって、強い押圧力をチューブに加えた場合、液状内容物の流出を停止することができ、液状内容物の出過ぎや、出方、量をチューブに加える押圧力を加減することにより、利用者が調整することができる。加減により、少量を連続的に注出する、１滴を滴下する、断続して滴下するなどの調整ができる。
この機構は、不用意にチューブに強い力を加えた場合には、突発的な噴出を防止でき、貴重な化粧液や薬品、香辛料などを無駄にすることが無い。
また、弁体の開動作を制限する部材に不正形や小穴が設けられていると、バネの伸張規制位置において、チューブ容器の口頸部の出口側を閉鎖せずに、連続して内容液を注出し続けることができるようにも構成することができる。
【００１０】
本発明は、口頸部内に弁孔から注出口に向かって直線的な流路が形成されないように吐出緩和弁と口頸内の形状を工夫して組み合わせたものである。
液状内容物は、弁孔、弁体を支持するバネの周囲の隙間を経由して注出口へ向かう流路を通ることとなる。注出口は、通常は弁孔よりも十分に径が大きく形成されるので、注出口から放水状に噴出するようなことはない。もちろん、特殊仕様として、注出口を弁孔よりも小径とすることにより、細い放水状に噴出することも可能である。
さらに、弁体の開動作を制限する部材を弁体の上部に設けた場合には、この制限部材と口頸部の内周壁との隙間あるいはこの制限部材に形成された小穴がさらに流路に加わることとなるので、さらに直進性は制限されることとなる。
【００１１】
チューブ容器材料は、チューブ容器に通常に用いられている合成樹脂を使用できる。チューブ本体は、内容物を押し出した後、膨らんで復帰（スクイズバック）性があるように作成する。
口頸部の材料は、通常のチューブ容器の口頸部に用いられる材質で、硬質に作成される。通常は、蓋が取り付けられ、螺着のための螺旋ねじなどが設けられることが多い。
【００１２】
弁の材料は、弾力性に富んだ材料が望ましい。特にバネ体を構成する素材は伸縮弾性が必要である。容器の押圧によってバネ体が伸張し、押圧力の解除によって速やかにバネによって弁が封鎖されて外気が引き込まれないようにする。弾性に富んだ材料は、伸縮弾性合成樹脂、天然系ゴム材料をあげることができる。弁の封鎖はバネ体の収縮力と容器のスクイズバックによる。
【００１３】
内容液の種類は、液状物である。比較的粘性の低い液体にも対応でき、少量を使用する液体である。
用途は、少量づつ滴下するような用途に適している。例えば、液状化粧料、消毒、殺菌などの液体薬品などの皮膚への塗布剤。あるいは、香辛料や調味料。２液性の接着剤にも応用できる。
【実施例】
【００１４】
以下、本発明を図１乃至図６に示す実施例により具体的に説明する。
図１は、突出緩和弁が装着され、静止状態のチューブ容器要部縦断面図を示す。図２は、吐出緩和弁の分解一部断面図を示す。図３は、弁部材を裏面側から見た平面図を示す。図４は、ステムの断面図を示す。図５は、弁が中間位置にあるときのチューブ容器要部縦断面図を示す。図６は、弁が上端位置にあるときのチューブ容器要部縦断面図を示す。
【００１５】
図１に示すように、押出チューブ容器１は、押圧により内容物を押出可能な合成樹脂製のチューブで形成されたチューブ本体２と、内容物を排出する注出口３１が形成された口頸部３とから形成されており、押出チューブ容器１には、化粧水等の液状内容物が収納される。
口頸部３の内径部には、小径筒部３２、中径筒部３３及び大径筒部３４が形成されている。中径筒部３３と小径筒部３２との境に小径肩部３５が形成されており、該肩部は上端制止弁体５４の係止部として機能する。中径筒部３３と大径筒部３４との境に中径肩部３７が形成されており、該肩部は弁部材５の環状基部５３の系止部として機能する。口頸部３の外周には、ねじ山が設けられており、キャップ（不図示）が取り外し自在に螺着される。しかし、特にねじに限定される必要はない。
【００１６】
吐出緩和弁４は、弁部材５と弁座部材６から構成されている。吐出緩和弁は、口頸部に装着されている。
弁部材５が口頸部３の大径部に弁座部材６によって固定されており、その固定は、弁部材５の環状脚部５８の外径を口頸部３の大径筒部３４の内径に嵌挿される大きさであって、弁座部材６の大径部６３には、図２に示すように、抜止用の小突起６４が環状に複数形成されている。小突起６４は連続環状とすることによって、口頸部の大径筒部３４に隙間無く密着し、密閉性を向上させることができる。
【００１７】
図２及び図３には、吐出緩和弁４の詳細が示されている。
吐出緩和弁４は、弁部材５と、弁座部材６とから構成されている。
弁部材５は、弁板５１と該弁板５１を常閉方向へ付勢するバネ体５２とからなる。図３に示すように、バネ体５２は、複数の渦巻状弾性片５２１からなり、渦巻状弾性片５２１の一端が弁板５１に連結され、他端が環状基部５３に連結されており、弁板５１を弁座部材６に形成された通孔６１を常閉方向へ付勢している。本例では、渦巻状弾性片は３本である。
図２では、弁板５１には、閉弁作用を確実にするために、膨出部５１１が形成されている。膨出部５１１に代え、弁座部材６の通孔６１の周囲に筒状の突部を形成してもよい。
【００１８】
渦巻状弾性片５２１は、螺旋状に構成されているため、バネ力や弁ストロークに合わせて長さや弾性片の径を任意に設定できる。バネ力の設定は、渦巻状弾性片５２１の設定のほか、断面形状や断面積の設定でも変更できる。弁部材５は、合成樹脂により一体に成形できる。
【００１９】
図２及び図３で詳細に示すように、吐出隙間５７は、弁板５１と、複数の渦巻状弾性片５２１からなるバネ体５２と、環状基部５３の３者とで区画形成されている。使用時にチューブ本体を押圧し、押出し操作されると、渦巻状弾性片５２１のバネ力に抗して弁板５１を押し上げて開弁して液状内容物が通孔６１から押し出されてくる。液状内容物は、弁板５１によって直進が阻まれて、弁板５１と、複数の渦巻状弾性片５２１と、環状基部５３とで区画形成された吐出隙間５７を通り迂回しながら注出口３１へ向かう。
【００２０】
図３に示す例は、３本の渦巻状弾性片５２１を１２０度毎に取り付けた例である。渦巻状弾性片５２１は、この例に限らず４本またはそれ以上設けてもよい。
【００２１】
弁板５１の上部には、ステム５５により連結された上端制止弁体５４が一体に設けられており、ステム５５は、図４に示すように、複数の補強用リブ５６を備えている。
【００２２】
液状内容物の通常の取出し操作時には、上端制止弁体５４は、中径筒部３３の中途に位置して内容物の通過を許容しているが、チューブ本体２が強く押圧され過度の吐出圧を受けたときには、上端制止弁体５４が更に押し上げられて、遂には、口頸部３の中径筒部３３の肩部に接触してバネ体の伸長は規制される。これによって、渦巻状弾性片の伸長が規制され、伸び過ぎによるバネ機能の低下が防止できる。この上端制止弁体５４と肩部の接触を密着状態に形成することによって、内容液の吐出を停止させる構造とすることができる。このような停止構造とすることで、強い押圧力で押すことによって、弁体のストローク分の液量しか流出しないような使い方もでき、一定量の滴下弁構成とすることができる。また、完全に流出を停止するのではなく、上端制止弁体５４に小孔や不定形とすることによって、小量を連続して注出するようにもできる。
また、上端制止弁体５４を設けない構造も可能であり、バネの伸張規制が無い状体あるいは、弁体の上端位置を抑える部材を口頸部内壁から突起させるなどの、手段を講ずることもできる。
【００２３】
弁座部材６は、口頸部３に挿入装着される筒状の脚部と弁孔となる通孔６１を設けた平面部から構成され、該筒状の脚部は、上部が前記弁部材５の筒状脚部５８を外装するように縮径された小径部６２、下部が口頸部３の大径部３４に装着される大径部６３に形成されている。弁座部材６の大径部６３には、図２に示すように、抜止用の小突起６４が環状に複数形成されている。小突起６４は連続環状とすることによって、口頸部の大径筒部３４に隙間無く密着し、密閉性を向上させることができる。
【００２４】
次に、本発明の作用を説明する。
不使用時には、弁板５１はバネ体５２の渦巻状弾性片５２１により、図１に示す閉止位置にあり、内容物が不必要に流れ出ることを防止している。またこの閉弁により、容器本体１内への外気の不用意な侵入が阻止されている。
【００２５】
使用時に、押出チューブ容器本体が手で押され内圧が上昇したとき、図５に示すように、渦巻状弾性片５２１がバネ変形し、弁部材５が押し開かれる。液状内容物は通孔６１を通過し、弁板５１により直進が阻まれ、弁板５１の外周と、複数の渦巻状弾性片５２１とで区画形成された吐出隙間５７を経由して吐出されて行く。したがって、流路は直線的には形成されない。該流路構成としたことにより、液状の内容物は突発的に噴出することはない。また、流量は、注出口３１の径よりも小さい通孔６１で絞られるので、大量にいきおいよく流出することもないので、少量づつ水滴状に手などの塗布する皮膚上に滴下することができ、化粧品や薬へ適している。
【００２６】
弁部材５の渦巻状弾性片５２１は複数設けられており、位置ズレや捻じれ等もなく安定したバネ作用を奏し、操作に見合った量の取り出しが可能となるばかりでなく、押し出し操作を止めたとき、一旦吐出された内容物の逆流防止、及び不使用時における外気の侵入を阻止する閉弁作用が確実である。
【００２７】
弁板５１の下面には、膨出部５１１を形成すると、該膨出部５１１により、渦巻状弾性片５２１のバネ作用により膨出部５１１が弁座部材６の上面にしっかりと押し着けられるので、通孔６１をふさぎ、弁板５１の閉弁作用がより確実となる。
【００２８】
渦巻状弾性片５２１は、螺旋形状に形成されているため、必要なバネ力や弁ストロークに応じて任意の長さに設定できる。また、復元力があり、耐久性も高い。
【００２９】
また、吐出緩和弁４は、上端制止弁板５４を備えており、該上端制止弁体５４が円盤状に形成されている場合は、過度の吐出圧を受けたときに、上端出制止弁板５４が口頸部３の中径筒部３４と小径筒部３２変化部に形成された小径肩部３５に当接し閉弁するため、内容物のそれ以上の吐出が阻止される。図６に図示された状態が、それに当たる。
【００３０】
該肩部はストッパとしても機能し、渦巻状弾性片５２１が過度に伸長することによるバネ機能の低下などの不具合から保護する。
【００３１】
更に、バネが複数のバネ体５２で構成されているため、弁板５１は、傾いたりすることもなく作動が極めて安定している。また、弁板５１による閉弁作用が確実であるから、一旦吐出された内容物の逆流や外気の侵入が確実に防止できる。
【００３２】
弁座部材６は、口頸部３に嵌合する筒状脚部には弁部材５の環状脚部５８を口頸部３の内壁に挟持固定する小径部６２と、環状小突起６４を形成した大径部６３とを設けた構成である。そして、弁部材５の環状基部５３が口頸部３の大径筒部３４と中径筒部３３の境に形成された中径肩部３７に当接して、位置規制と抜け止めがなされているから、取り付けが強固でありしかも簡単である。
弁板５１をバネにより弁孔である通孔６１を確実に閉鎖し、弁座部材６に設けた環状小突起６４によって、口頸部３内壁に密着されていることになるので、チューブ容器の復元力を受けても、確実に閉鎖することができ、外気の吸引が防止できる。
【図面の簡単な説明】
【００３３】
【図１】チューブ容器要部縦断面図
【図２】吐出緩和弁の分解一部断面図
【図３】弁部材の平面図
【図４】ステムの断面図
【図５】チューブ容器要部縦断面図（弁中間位置）
【図６】チューブ容器要部縦断面図（弁上端位置）
【図７】従来例の押出チューブ容器の断面図
【符号の説明】
【００３４】
１      押出チューブ容器
２      チューブ本体（胴部）
３      口頸部
３１    注出口
３２    小径筒部
３３    中径筒部
３４    大径筒部
３５    肩部（弁座）
３６    ネジ
３７    中径肩
４      吐出緩和弁
５      弁部材
５１    弁板
５１１  膨出部
５２    バネ体
５２１  渦巻状弾性片
５３    環状脚部
５４    上端制止弁体
５５    ステム
５６    リブ
５７    吐出隙間
５８    筒状脚部
６      弁座部材
６１    通孔
６２    小径部
６３    大径部
６４    小突起
１００  ブローチューブ本体
２００  弁機構
４００  中味収納部
７００  ノズル
【図１】
2005145465.tif 000003
【図２】
2005145465.tif 000004
【図３】
2005145465.tif 000005
【図４】
2005145465.tif 000006
【図５】
2005145465.tif 000007
【図６】
2005145465.tif 000008
【図７】
2005145465.tif 000009